(57)【要約】本発明は爪切りに関し、その構成は一端部に切り刃１０ｃ及び貫通孔１０ｄが形成された上・下部鋼板１０ａ、１０ｂからなった本体１０と；上記貫通孔１０ｄと一直線上に置かれる締め孔が形成された一対の加圧バー１２ａ、１２ｂからなり、この加圧バー１２ａ、１２ｂのうち何れか１つに上記上・下部鋼板１０ａ、１０ｂのうち何れか１つの表面に対応するレバー突起１２ｃが形成された作動レバー１２と；上記上・下部鋼板１０ａ、１０ｂ及び作動レバー１２の貫通孔１０ｄ及び締め孔を貫通する支持軸１４と；を含んで構成されたことを特徴とする。従って、作動レバー１２が本体１０に対して回転可能で、また本体１０に沿って所望の位置への移動が自由となるため、爪を切る作業が容易となる。【選択図】図１
2004521705.tif 000002
【特許請求の範囲】
【請求項１】
所定の間隔だけ離れて上下に配置され、それぞれの一端部に爪を切るための切り刃が形成され、上記切り刃の隣接した側部にそれぞれ貫通孔が形成された、上・下部鋼板からなった本体と；上記上・下部鋼板を加圧して両切り刃を噛み合わせるように、上記上・下部鋼板の外側面にそれぞれ密着配置され、上記上・下部鋼板の貫通孔と一直線上に置かれる締め孔が形成された一対の加圧バーからなり、上記加圧バーのうち何れか１つに上記上・下部鋼板のうち何れか１つの表面に対応するレバー突起が形成された作動レバーと；上記一直線上に置かれた上・下部鋼板と作動レバーの貫通孔及び締め孔に貫通配置され、上記作動レバーが本体に対して軸回転するように支持する支持軸と；を含んで構成されたことを特徴とする爪切り。
【請求項２】
上記上・下部鋼板の切り刃の形成された各一端部が弾力的に接離できるように各他端部が相互接合され、上記支持軸は、上・下部鋼板及び作動レバーの貫通孔及び締め孔を貫通してその先端部が何れか１つの加圧バーの締め孔と締結されるとき、上記支持軸の長さを調節できるように、その外周面にネジ山が形成されたことを特徴とする請求項１に記載の爪切り。
【請求項３】
上記上・下部鋼板は、平行に配置された状態で各一端部の切り刃が弾力的に接離され得るように、スプリングによって相互平行に支持されることを特徴とする請求項１に記載の爪切り。
【請求項４】
上記上・下部鋼板の各表面には、作動レバーを移動可能とするために、それぞれの貫通孔から延びたガイドレールが各々貫通形成され、このガイドレールの所定部位には上記移動する作動レバーを停止させて上記本体と直交するように回転させた後、加圧作動できるようにする多数のステーションホールがそれぞれ設けられ、このステーションホールに対応する上・下部鋼板の各側面には作動レバーの加圧によって噛み合わされ爪を切断する切り刃が形成されたことを特徴とする請求項２又は３に記載の爪切り。
【請求項５】
上記支持軸は、ガイドレールに沿って移動しステーションホールに到達すれば、回転させることによって上記ステーションホールに固定支持されるように、その外周面がガイドレールの幅サイズに合うように面切削されていることを特徴とする請求項４に記載の爪切り。
【請求項６】
上記本体に形成された各切り刃は、切断後の爪の端面形状が多様な形をなすように、その端部形状が多様な曲線形状に形成されていることを特徴とする請求項４に記載の爪切り。
【請求項７】
上記本体側面の切り刃の隣接部である上・下部鋼板部位のうち何れか一方が、この上・下部鋼板の間の空間部に向って折れ曲がっており、この折曲面に締め孔が形成され、この締め孔を通して締結された締め具の先端部には爪の長さに適合するように、幅方向に前後進にしながら爪の進入を規制するストップバーが連結されたことを特徴とする請求項４に記載の爪切り。
【請求項８】
上記作動レバーの後端面には、切断後の爪先の荒い面だけを手入れするための爪やすり部を形成することを特徴とする請求項１に記載の爪切り。
【請求項９】
上記爪やすり部の形成された作動レバーの後端部は、上記作動レバーに着脱可能に結合されていることを特徴とする請求項８に記載の爪切り。
【請求項１０】
上記本体の切り刃は、該本体に着脱可能に結合されていることを特徴とする請求項１に記載の爪切り。
【請求項１１】
上記本体の下部鋼板の貫通孔の縁部には、作動レバーの加圧によって上部鋼板が下降して上下の切り刃が爪を切る程度に噛み合うと、上記上部鋼板をそれ以上下降しないように規制することで、切り刃の損傷を防止するための支持部が上方に突出形成されていることを特徴とする請求項４に記載の爪切り。
【発明の詳細な説明】
【技術分野】
【０００１】
本発明は爪切りに関し、より詳しくは、切り刃を加圧するための作動レバーを本体に対して回転自在にするとともに、本体の表面に沿って移動可能にすることによって、指先の爪の伸びた部分を切る作業が容易となる爪きりに関する。
【背景技術】
【０００２】
一般に爪切りは、各一端部が離隔され、この離隔した端部に切り刃が形成され、各他端部は相互接合された上・下部鋼板からなった本体と、この本体の上・下部鋼板のうち何れか１つの表面に配置され、支持軸によって連結される加圧バーとからなり、上記加圧バーを加圧すれば、該加圧バーのレバー突起によって支持軸が引っ張られると同時に、切り刃が噛み合うようになって爪を切断する器具である。
【発明の開示】
【発明が解決しようとする課題】
【０００３】
しかし、このような従来技術の爪切りは、加圧バーが本体と一直線上に置かれた状態でのみ加圧可能な構造となっているため、爪切りの時、円弧形状に湾曲した爪の形状に応じて使用者が一々本体を回転させながら作業を行なわなければならないという不便があった。
【課題を解決するための手段】
【０００４】
本発明は、上記のような従来技術の問題点を解決するために案出されたもので、爪切りの本体に対して加圧バーが回転したり、本体の表面に沿って移動したりする等の操作が自由に行なえるようにして、爪切りの時の容易性を向上させた爪切りを提供することに、その目的がある。
【０００５】
上記の目的を達成するための本発明の爪切りは、所定の間隔だけ離れて上下に配置され、それぞれの一端部に爪を切るための切り刃が形成され、上記切り刃の隣接した側部にそれぞれ貫通孔が形成された、上・下部鋼板からなった本体と；上記上・下部鋼板を加圧して上刃と下刃とを噛み合わせるように、上記上・下部鋼板の外側面にそれぞれ密着配置され、上記上・下部鋼板の貫通孔と一直線上に置かれる締め孔が形成された一対の加圧バーからなり、上記加圧バーのうち何れか１つに上記上・下部鋼板のうち何れか１つの表面に対応するレバー突起が形成された作動レバーと；上記一直線上に置かれた上・下部鋼板と作動レバーの貫通孔及び締め孔に貫通配置され、上記作動レバーが本体に対して軸回転するように支持する支持軸と；を含んで構成されたことを特徴とする。
【０００６】
また、本発明による爪切りにおいて、上記上・下部鋼板の切り刃の形成された各一端部が弾力的に接離できるように各他端部が相互接合され、上記支持軸は、上・下部鋼板及び作動レバーの貫通孔及び締め孔を貫通してその先端部が何れか１つの加圧バーの締め孔と締結されるとき、上記支持軸の長さを調節できるように、その外周面にネジ山が形成されることが望ましい。
【０００７】
また、本発明による爪切りにおいて、上記上・下部鋼板は平行に配置された状態で各一端部の切り刃が弾力的に接離され得るように、スプリングによって相互平行に支持されることが望ましい。
【０００８】
また、本発明による爪切りにおいて、上記上・下部鋼板の各表面には作動レバーを移動可能とするために、それぞれの貫通孔から延びたガイドレールが各々貫通形成され、このガイドレールの所定部位には上記移動する作動レバーを停止させて上記本体と直交するように回転させた後、加圧作動できるようにする多数のステーションホールがそれぞれ設けられ、このステーションホールに対応する上・下部鋼板の各側面には作動レバーの加圧によって噛み合わされ爪を切断する切り刃を形成することが望ましい。
【０００９】
また、本発明による爪切りにおいて、上記支持軸は、ガイドレールに沿って移動しステーションホールに到達すれば、回転させることによって上記ステーションホールに固定支持されるように、その外周面がガイドレールの幅サイズに合うように面切削されることが望ましい。
【００１０】
また、本発明による爪切りにおいて、上記本体に形成された各切り刃は、切断後の爪の端面形状が多様な形をなすように、その端部形状が多様な曲線形状に形成されることが望ましい。
【００１１】
また、本発明による爪切りにおいて、上記本体側面の切り刃の隣接部である上・下部鋼板部位のうち何れか一方が、この上・下部鋼板の間の空間部に向って折れ曲がっており、この折曲面に締め孔が形成され、この締め孔を通して締結された締め具の先端部には爪の長さに適合するように、幅方向に前後進にしながら爪の進入を規制するストップバーが連結されることが望ましい。
【００１２】
また、本発明による爪切りにおいて、上記作動レバーの後端面には、切断された爪の荒い面だけを手入れするための爪やすり部を形成することが望ましい。
【００１３】
また、本発明による爪切りにおいて、上記爪やすりの形成された作動レバーの後端部は、上記作動レバーに着脱可能に結合されることが望ましい。
【００１４】
また、本発明による爪切りにおいて、上記本体の切り刃は、該本体に着脱可能に結合されることが望ましい。
【００１５】
また、本発明による爪切りにおいて、上記本体の下部鋼板の貫通孔の縁部には、作動レバーの加圧によって上部鋼板が下降して上下の切り刃が爪を切る程度に噛み合うと、上記上部鋼板がそれ以上下降しないように規制することで、切り刃の損傷を防止するための支持部が上方に突出形成されることが望ましい。
【発明を実施するための最良の形態】
【００１６】
以下、添付図面を参照しながら本発明を説明すれば、次の通りである。
【００１７】
図１及び図１ａに示すように、本発明による爪切りは、上・下部鋼板１０ａ、１０ｂからなった本体１０と、この上・下部鋼板１０ａ、１０ｂの外側面にそれぞれ密着配置された作動レバー１２と、この作動レバー１２を本体１０に対して軸回転自在に支持する支持軸１４とを含む構成となっている。
【００１８】
上記本体１０は、四角い板材である上・下部鋼板１０ａ、１０ｂの各一端部が所定の間隔だけ離隔した状態でそれぞれ切り刃１０ｃを有し、各他端部は相互接合されており、上記切り刃１０ｃの形成された端部は外部からの加圧によって弾性的に接離するような形状を有し、上記切り刃１０ｃの隣接した側部である該当鋼板の表面には支持軸１４の貫通のために貫通孔１０ｄが一直線上に形成されている。
【００１９】
そして、上記上・下部鋼板１０ａ、１０ｂの各表面には、支持軸１４に連結された作動レバー１２の移動のために、各貫通孔１０ｄから延びたガイドレール１０ｅがそれぞれ貫通形成され、このガイドレール１０ｅの所定部位には、上記移動する作動レバー１２を停止させて上記本体１０と直交するように回転させた後、加圧作動可能な状態とするための多数のステーションホール１０ｆがそれぞれ形成され、このステーションホール１０ｆに対応する上・下部鋼板１０ａ、１０ｂの各側面には作動レバー１２が加圧されれば互いに噛み合って爪を切断するための切り刃１０ｇが形成されている。
【００２０】
ここで、上記ガイドレール１０ｅは、支持軸１４の面切削された小口径の外周面がガイドされるように狭路となっており、上記ステーションホール１０ｆは支持軸１４がこのステーションホール１０ｆに到達すれば作動レバー１２を回転させて支持軸１４の大口径の外周面がガイドレール１０ｅに向かうようにすることで、上記支持軸１４の移動を遮断する形状となっている。
【００２１】
このように、上記本体１０に形成された各切り刃１０ｃ、１０ｇは、作動レバー１２の１回操作で手指又は足指の爪を切ることができるような形状及び強度を有していることが望ましい。
【００２２】
そして、図２に示すように、上記本体１０の先端部及び側部に形成された多数の切り刃１０ｈは、切断された爪の端面形状が多様な形をなすようにその端部形状を多様な曲線形状に形成することもできる。
【００２３】
上記支持軸１４は、作動レバー１２と本体１０の締め孔（図示せず）と貫通孔１０ｄを貫通し、作動レバー１２を本体１０に対して軸回転可能にする軸形状を有し、該支持軸１４は、作動レバー１２の加圧バー１２ａ、１２ｂのうち、レバー突起１２ｃの形成された加圧バー１２ａは貫通し、上記レバー突起１２ｃの形成されていない加圧バー１２ｂとは螺合するように、その外周面にネジ山１４ａが形成されている。
【００２４】
ここで、上記支持軸１４は、ガイドレール１０ｅに沿って本体１０の後端部に移動するにつれて、上・下部鋼板１０ａ、１０ｂ間のギャップが狭まることに対応できるように、適切に締めたり緩めたりしながら加圧バー１２ａ、１２ｂをそれぞれの上・下部鋼板１０ａ、１０ｂの表面に密着させるためのものである。
【００２５】
上記作動レバー１２は、本体１０の上・下部鋼板１０ａ、１０ｂの各表面に密着配置される一対の加圧バー１２ａ、１２ｂからなり、各先端部には上記上・下部鋼板１０ａ、１０ｂの貫通孔１０ｄと一直線上に置かれる締め孔（図示せず）が形成され、その何れか１つの加圧バー１２ａには、作動レバー１２の作動時、支持軸１４を引っ張ると同時に本体１０の切り刃１０ｃを相互噛み合わせるためのレバー突起１２ｃが形成されている。
【００２６】
そして、上記レバー突起１２ｃの形成された加圧バー１２ａの締め孔には支持軸１４をそのまま貫通させ、上記レバー突起１２ｃの形成されていない加圧バー１２ｂの締め孔には支持軸１４のネジ山１４ａが締結されるようにして、その締結程度によって支持軸１４の長さを調節可能にすると同時に、作動レバー１２の各加圧バー１２ａ、１２ｂを上・下部鋼板１０ａ、１０ｂにそれぞれ密着させることが望ましい。
【００２７】
また、図３に示すように、切り刃２２を本体２０の先端部に着脱可能に形成することも可能である。即ち、本体２０のうち、切り刃２２の形成された部分を別途分離可能に形成し、そのそれぞれに結合溝２２ａを形成し、この結合溝２２ａと対応する本体２０の各部分には結合突起２０ａを形成して、これらを着脱可能にすることもできる。ここで、上記結合突起２０ａと結合溝２２ａは、互いに堅固に結合して離脱しないように、その断面形状をそれぞれ正、逆三角形状にすることが望ましい。
【００２８】
また、図４に示すように、上記作動レバー３０の後端面には、爪先の切断面を滑らかに手入れするために、１／４の円弧形状をした爪やすり部３０ａが形成されている。
【００２９】
そして、図４ａに示すように、上記爪やすり３４ａの形成された作動レバー３２の後端部３４は、爪先の切断面を手入れするとき、使用上の便宜のためにこの部分だけを上記作動レバー３２から別途に分離して使用できるように、着脱可能な状態となっている。ここで、上記後端部３４と作動レバー３２との結合のために、それぞれの対応する面に磁石などの接着部３６を設けることが望ましい。
【００３０】
一方、上記本体１０は、上・下部鋼板１０ａ、１０ｂの各一端部が鋼板の弾性力によって接離可能に所定の間隔だけ離隔形成され、各他端部は溶接などで接合されるほか、図５及び図６に示すように、本体４０の上・下部鋼板４０ａ、４０ｂを平行に配置し、これらの間にスプリング４２を介在させた状態で作動レバー４４を加圧すれば、そのスプリング力によって切り刃４０ｃを弾力的に作動させることができる。
【００３１】
このようにスプリング４２を使用すれば、上・下部鋼板４０ａ、４０ｂが平行に配置されるので、本体４０の側部の切り刃４０ｅを使用するために支持軸４６をガイドレール４０ｄに沿って移動させる際に、その長さの調節が不要となる。従って、上記支持軸４６としてネジ山の形成されていない既存の形状の支持軸を使用することが望ましい。
【００３２】
また、図７に示すように、上記本体５０側面の切り刃５２の隣接部である上部鋼板５３部位は、上・下部鋼板５３、５４間の空間部に折り曲げられ、その折曲面５６に締め孔５６ａが形成され、該締め孔５６ａを通して締結された締め具５８の先端部には、ストップバー５９が連結されている。このストップバー５９は、上記締め具５８を締めたり緩めたりする動作を繰り返すことによって、使用者の爪長に合うように上記本体５０の幅方向に前後進されながら、爪の進入を規制する。ここで、上記ストップバー５９は、それぞれの切り刃５２に対応するように配置するか、或いは、ある特定の切り刃５２に対してのみ配置する等、その配置を自由にすることが望ましい。
【００３３】
また、図８及び図８ａに示すように、上記本体６０の下部鋼板６２の貫通孔６２ａの外周部には、作動レバー６４の加圧時に上部鋼板６３が下降して切り刃が爪を切る程度に噛み合うと、それ以上下降できないようにして、切り刃の損傷を防止するための支持部６６が上方に突出形成されている。
【００３４】
このような構成による本発明の爪切りは、本体１０の一端部に形成された切り刃１０ｃを利用して爪を切る場合は、作動レバー１２を本体１０と平行に配置し、この作動レバー１２を加圧して上下の切り刃１０ｃを噛み合わせるようにして爪を切ることができ、また、爪のエッジ部を切る場合は、上記本体１０を爪のエッジ部側に一々移動させる必要なく、作動レバー１２を本体１０に対して適切な位置に軸回転させることで簡便に爪を削ることができる。
【００３５】
そして、上記本体１０の側部に形成された切り刃１０ｇを利用する場合、上記作動レバー１２を本体１０と平行に配置した後、所望の切り刃１０ｇが位置しているところまでガイドレール１０ｅに沿って支持軸１４を移動させた後、上記支持軸１４が該当ステーションホール１０ｆに到達すれば上記作動レバー１２を回転させて本体１０と直交する線上に置かれるようにして、爪を削ることができる。ここで、上記支持軸１４がガイドレール１０ｅに沿って移動する時には、その小口径の外周面がガイドレール１０ｅに向かうようにして移動させ、上記ステーションホール１０ｆに位置されれば、その大口径の外周面が上記ガイドレール１０ｅに向うようにして、上記支持軸１４がステーションホール１０ｆの側方に移動することを防止する。
【００３６】
このように、上記作動レバー１２がガイドレール１０ｅに沿って所望の位置に移動しながら切り刃１０ｇによって爪を切る作業を行なうことができ、また、上記本体２０の一端部に形成された切り刃２２は着脱可能となっているため、いつでも取替えが可能である。また、作動レバー３０の後端面に形成された爪やすり３０ａを利用して、爪の切断面だけを正確に手入れすることができる。
【００３７】
以上説明したように、本発明による爪切りは、作動レバーを本体に対して自由に回転できるようにし、また、本体に沿って所望の位置への移動を可能とする等、多様な機能を付与することによって、爪を切る作業が容易となるという効果を奏する。
【００３８】
以上、本発明を具体的な実施例に基づいて説明したが、本発明はこれに限定されるものではなく、請求項に記載の要旨を逸脱しない範囲内での多様な変更又は修正が可能であることは勿論である。
【図面の簡単な説明】
【００３９】
【図１】本発明による爪切りを示す斜視図である。
【図１ａ】本発明による爪切りの使用状態を示す斜視図である。
【図２】本発明による爪切りの一実施例で、多様な形状の切り刃を示す斜視図である。
【図３】本発明による爪切りの他の実施例で、切り刃が分離された状態を示す斜視図である。
【図４】本発明による爪切りのもう一つの実施例で、加圧バーの端面に爪やすり部を形成したことを示す斜視図である。
【図４ａ】図４の爪やすりの形成された加圧バーの後端部が分離された状態を示す斜視図である。
【図５】本発明による爪切りのもう一つの実施例で、上・下部鋼板がスプリングによって支持されている状態を示す斜視図である。
【図６】図５の使用状態を示す斜視図である。
【図７】本発明による爪切りのもう一つの実施例で、ストップバーが設置された状態を示す斜視図である。
【図８】本発明による爪切りのもう一つの実施例で、下部鋼板の貫通孔の縁部に支持部が形成された状態を示す斜視図である。
【図８ａ】図８の要部を示す部分断面図である。
【国際公開パンフレット】
2004521705.tif 000003
2004521705.tif 000004
2004521705.tif 000005
2004521705.tif 000006
2004521705.tif 000007
2004521705.tif 000008
2004521705.tif 000009
2004521705.tif 000010
2004521705.tif 000011
2004521705.tif 000012
2004521705.tif 000013
2004521705.tif 000014
2004521705.tif 000015
2004521705.tif 000016
2004521705.tif 000017
2004521705.tif 000018
2004521705.tif 000019
2004521705.tif 000020
2004521705.tif 000021
2004521705.tif 000022
2004521705.tif 000023
2004521705.tif 000024
2004521705.tif 000025
2004521705.tif 000026
2004521705.tif 000027
2004521705.tif 000028
2004521705.tif 000029
【国際調査報告】
2004521705.tif 000030